(57)【要約】【課題】画像が読み取られるカード状媒体及びシート状媒体をともに安定して搬送することができる画像読取装置を提供する。【解決手段】複数のローラ対の回転軸心方向の中心位置が、第１媒体が搬送される第１媒体搬送領域Ｔ１の回転軸心方向の中心位置Ｃ１に設定される第１媒体用ローラ対群９１と、複数のローラ対の回転軸心方向の中心位置が、第１媒体よりも厚い第２媒体が搬送される第２媒体搬送領域Ｔ２の回転軸心方向の中心位置Ｃ２に設定される第２媒体用ローラ対群９２とを備え、第２媒体用ローラ対群９２は、少なくとも１つのローラ対９ｃが、回転軸心方向に対して第１媒体用ローラ対群９１の一方の外側で、かつ、第１媒体搬送領域Ｔ１内に設けられ、付圧ローラ８による第１媒体への付圧を規制する付圧規制手段１５ｂが設けられる。【選択図】図９
2008285259.tif 000002
【特許請求の範囲】
【請求項１】
回転駆動可能な駆動ローラと、該駆動ローラ側に付圧され該駆動ローラに従動して回転可能な付圧ローラとからなるローラ対を有する搬送手段により、シート状の第１媒体及び前記第１媒体より厚いカード状の第２媒体を、該駆動ローラと該付圧ローラとの間に保持して画像読取手段に搬送し、画像を読み取る画像読取装置において、
前記駆動ローラの回転軸心方向に沿って設けられた複数の前記ローラ対からなり、該複数のローラ対の前記回転軸心方向の中心位置が、前記第１媒体が搬送される第１媒体搬送領域の前記回転軸心方向の中心位置に設定される第１媒体用ローラ対群と、
前記回転軸心方向に沿って設けられた複数の前記ローラ対からなり、該複数のローラ対の前記回転軸心方向の中心位置が、前記第２媒体が搬送される第２媒体搬送領域の前記回転軸心方向の中心位置に設定される第２媒体用ローラ対群とを備え、
前記第２媒体用ローラ対群は、少なくとも１つの前記ローラ対が、前記回転軸心方向に対して前記第１媒体用ローラ対群の一方の外側で、かつ、前記第１媒体搬送領域内に配置され、前記付圧ローラによる前記第１媒体への付圧を規制する付圧規制手段が設けられることを特徴とする、
画像読取装置。
【請求項２】
前記第２媒体用ローラ対群は、前記第１媒体搬送領域内に設けられることを特徴とする、
請求項１に記載の画像読取装置。
【請求項３】
前記第２媒体搬送領域は、前記第１媒体搬送領域内に設けられることを特徴とする、
請求項１又は請求項２に記載の画像読取装置。
【請求項４】
前記第２媒体用ローラ対群は、少なくとも１つの前記ローラ対が前記第１媒体用ローラ対群に共用されることを特徴とする、
請求項１乃至請求項３のいずれか１項に記載の画像読取装置。
【請求項５】
前記第１媒体用ローラ対群は、前記回転軸心方向に対して前記画像読取手段により読み取り可能な最小の前記第１媒体の搬送領域内に設けられることを特徴とする、
請求項１乃至請求項４のいずれか１項に記載の画像読取装置。
【請求項６】
前記第１媒体用ローラ対群をなす前記複数のローラ対は、前記第１媒体搬送領域の前記回転軸心方向の中心位置に対して、該回転軸心方向に対称に設けられ、
前記第２媒体用ローラ対群をなす前記複数のローラ対は、前記第２媒体搬送領域の前記回転軸心方向の中心位置に対して、該回転軸心方向に対称に設けられることを特徴とする、
請求項１乃至請求項５のいずれか１項に記載の画像読取装置。
【請求項７】
前記付圧ローラを回転自在に軸支する支持軸と、
前記支持軸を前記駆動ローラ側に付勢する付勢手段とを備え、
前記付圧規制手段は、前記支持軸に対して前記付勢手段の反対側で該支持軸に当接することを特徴とする、
請求項１乃至請求項６のいずれか１項に記載の画像読取装置。
【請求項８】
積層された前記第１媒体を載置する載置手段と、前記第１媒体の搬送中心上に配置され回転駆動することで前記載置手段に載置された前記第１媒体を１枚ずつ前記搬送手段に給紙可能なピックローラとを有する主給紙手段と、
前記駆動ローラと前記ピックローラとを速度差をもって回転駆動可能な駆動手段とを備えることを特徴とする、
請求項１乃至請求項７のいずれか１項に記載の画像読取装置。
【請求項９】
前記第１媒体より幅方向の長さが短い前記第２媒体を前記ピックローラの前記幅方向側方から給紙可能な副給紙手段を備えることを特徴とする、
請求項８に記載の画像読取装置。
【請求項１０】
前記搬送手段により搬送される前記第１媒体及び前記第２媒体を排紙可能な排紙手段を備え、
前記主給紙手段から前記排紙手段までの搬送経路は、屈曲部が設けられる一方、
前記副給紙手段から前記排紙手段までの搬送経路は、直線状に設けられることを特徴とする、
請求項９に記載の画像読取装置。
【発明の詳細な説明】
【技術分野】
【０００１】
本発明は、イメージスキャナ、複写機、ファクシミリ、文字認識装置などを含む画像読取装置に関し、特に、いわゆるＡＤＦ（Ａｕｔｏ  Ｄｏｃｕｍｅｎｔ  Ｆｅｅｄｅｒ） 機構を有する画像読取装置に適用して好適な画像読取装置に関するものである。
【背景技術】
【０００２】
従来の画像読取装置として、例えば、積層されたシート状の媒体を連続的に読み取ることができるＡＤＦ（Ａｕｔｏ  Ｄｏｃｕｍｅｎｔ  Ｆｅｅｄｅｒ）型の画像読取装置がある。ＡＤＦ型の画像読取装置は、所定のサイズのシート状の媒体を連続的に自動給紙して、画像の読み取り処理を行うことができることから、大量の媒体を自動的に搬送して読取ることができる。
【０００３】
このようなＡＤＦ型の画像読取装置として、例えば、特許文献１に記載の画像読取装置は、読み取り媒体を画像読み取り手段に搬送する搬送手段の一端に自動給送部を備え、他端に手差し給紙部を備えると共に、搬送手段による媒体の搬送方向を正転搬送と逆転搬送とに変更可能な搬送方向変更手段を備えることで、積層された媒体を１枚ずつ分離して自動で搬送手段に給紙する自動給紙と、自動給送部では分離給紙できないような媒体、例えば、薄い原稿やＯＨＰ用に使用されるフィルム状の原稿などを手差しにより１枚ずつ搬送手段に給紙する手差し給紙とを使い分けている。
【０００４】
【特許文献１】特開平９−２８４４７８号公報
【発明の開示】
【発明が解決しようとする課題】
【０００５】
しかしながら、上述した特許文献１に記載された画像読取装置では、装置のコンパクト化のため自動給送部から手差し給紙部までの搬送経路中にてこの搬送経路が屈曲した屈曲部を有しており、例えば、正転搬送時と逆転搬送時のいずれの場合でも、比較的剛性が高い厚いカード状の媒体を搬送する際には、この媒体の剛性が高いがために、屈曲部にて、この媒体が破損してしまうおそれがある。また、この媒体が破損しなかったとしても、剛性が高い媒体が屈曲部を通過するためには大きな駆動力で媒体の搬送を行わなければならなくなるので、装置が大型化してしまうおそれがある。このため、従来の画像読取装置として、カード状媒体を搬送するカード状媒体専用の給紙部を別に設け、このカード状媒体専用の給紙部から排紙部までの搬送経路を直線的に設けた画像読取装置がある。
【０００６】
このような、カード状媒体専用の給紙部を備えた従来の画像読取装置として、例えば、図１２に示す従来の画像読取装置００１は、回転駆動可能な駆動ローラ００２と、この駆動ローラ００２に従動して回転可能であると共にこの駆動ローラ００２方向に付圧された付圧ローラ００３からなる複数のローラ対００４を有し、この駆動ローラ００２と付圧ローラ００３との間に媒体を保持して搬送する搬送部００５を備えている。そして、このような搬送部００５では、装置のコンパクト化を図るため、シート状媒体をＡＤＦ機構のピックローラ００６により１枚ずつ分離し給紙されるシート状媒体の搬送経路と、カード状媒体をカード状媒体専用の給紙部から給紙されるカード状媒体の搬送経路とが、媒体の幅方向に対して一部で重複した構成となっている。すなわち、図１２に示す従来の画像読取装置００１では、シート状媒体の搬送中心に対して幅方向に沿って対称に配置される３つのローラ対００４ａ、００４ｂ、００４ｃによりシート状媒体を搬送する一方、この３つのローラ対００４ａ、００４ｂ、００４ｃのうちの一側部に位置するローラ対００４ｃによりカード状媒体を搬送している。
【０００７】
ただし、この場合、カード状媒体の搬送に際して、このカード状媒体を保持し、搬送するローラ対００４ｃが幅方向に対しては１つしかないことから、その搬送が不安定になりやすくなるおそれがあった。このため、例えば、図１３−１に示すように、シート状媒体の搬送中心に対して幅方向に沿って対称に配置される４つのローラ対００４ａ、００４ｂ、００４ｃ、００４ｄによりシート状媒体を搬送する一方、この４つのローラ対００４ａ、００４ｂ、００４ｃ、００４ｄのうちの一側部に位置する２つのローラ対００４ｃ、００４ｄによりカード状媒体を搬送するように構成する場合がある。
【０００８】
しかしながら、この場合、シート状媒体の搬送に際して、このシート状媒体を保持し、搬送する４つのローラ対００４ａ、００４ｂ、００４ｃ、００４ｄのうち両側部に位置するローラ対００４ａ、００４ｄが幅方向に対して比較的離れた位置に配置されるようになることから、４つのローラ対００４ａ、００４ｂ、００４ｃ、００４ｄの上流側、例えば、ピックローラ００６にて、何らかの原因で若干のスキューが発生すると、図１３−２に示すように２つのローラ対００４ａ、００４ｂが搬送中心に対して近接して配置されるような場合と比較して、両側部のローラ対００４ａ、００４ｄが幅方向に対して搬送中心から離れた位置にあるがために、上流側で発生したスキューをさらに増幅してしまうおそれがある。すなわち、上流側で発生したスキューにより斜めに移動してきた媒体に対して、両側部のローラ対００４ａ、００４ｄのうちの一方のローラ対００４ａが先に媒体の側部を保持し、搬送し始めてから、他方のローラ対００４ｄが媒体の反対側の側部を保持し、搬送し始めるまでの間に、ローラ対００４ａにより保持、搬送された側の側部がローラ対００４ｄにより保持、搬送される側の側部よりも大きく先行してしまい、この結果、図中反時計回りに媒体が回転してしまうことになる。このため、カード状媒体のスキューを抑制できたとしても、シート状媒体のスキューを抑制できないことがあった。すなわち、結果的に、シート状媒体とカード状媒体との両方を安定して搬送できないことがあった。
【０００９】
そこで本発明は、画像が読み取られるカード状媒体及びシート状媒体をともに安定して搬送することができる画像読取装置を提供することを目的とする。
【課題を解決するための手段】
【００１０】
上記目的を達成するために、請求項１に係る発明による画像読取装置は、回転駆動可能な駆動ローラと、該駆動ローラ側に付圧され該駆動ローラに従動して回転可能な付圧ローラとからなるローラ対を有する搬送手段により、シート状の第１媒体及び前記第１媒体より厚いカード状の第２媒体を、該駆動ローラと該付圧ローラとの間に保持して画像読取手段に搬送し、画像を読み取る画像読取装置において、前記駆動ローラの回転軸心方向に沿って設けられた複数の前記ローラ対からなり、該複数のローラ対の前記回転軸心方向の中心位置が、前記第１媒体が搬送される第１媒体搬送領域の前記回転軸心方向の中心位置に設定される第１媒体用ローラ対群と、前記回転軸心方向に沿って設けられた複数の前記ローラ対からなり、該複数のローラ対の前記回転軸心方向の中心位置が、前記第２媒体が搬送される第２媒体搬送領域の前記回転軸心方向の中心位置に設定される第２媒体用ローラ対群とを備え、前記第２媒体用ローラ対群は、少なくとも１つの前記ローラ対が、前記回転軸心方向に対して前記第１媒体用ローラ対群の一方の外側で、かつ、前記第１媒体搬送領域内に配置され、前記付圧ローラによる前記第１媒体への付圧を規制する付圧規制手段が設けられることを特徴とする。
【００１１】
請求項２に係る発明による画像読取装置では、前記第２媒体用ローラ対群は、前記第１媒体搬送領域内に設けられることを特徴とする。
【００１２】
請求項３に係る発明による画像読取装置では、前記第２媒体搬送領域は、前記第１媒体搬送領域内に設けられることを特徴とする。
【００１３】
請求項４に係る発明による画像読取装置では、前記第２媒体用ローラ対群は、少なくとも１つの前記ローラ対が前記第１媒体用ローラ対群に共用されることを特徴とする。
【００１４】
請求項５に係る発明による画像読取装置では、前記第１媒体用ローラ対群は、前記回転軸心方向に対して前記画像読取手段により読み取り可能な最小の前記第１媒体の搬送領域内に設けられることを特徴とする。
【００１５】
請求項６に係る発明による画像読取装置では、前記第１媒体用ローラ対群をなす前記複数のローラ対は、前記第１媒体搬送領域の前記回転軸心方向の中心位置に対して、該回転軸心方向に対称に設けられ、前記第２媒体用ローラ対群をなす前記複数のローラ対は、前記第２媒体搬送領域の前記回転軸心方向の中心位置に対して、該回転軸心方向に対称に設けられることを特徴とする。
【００１６】
請求項７に係る発明による画像読取装置では、前記付圧ローラを回転自在に軸支する支持軸と、前記支持軸を前記駆動ローラ側に付勢する付勢手段とを備え、前記付圧規制手段は、前記支持軸に対して前記付勢手段の反対側で該支持軸に当接することを特徴とする。
【００１７】
請求項８に係る発明による画像読取装置では、積層された前記第１媒体を載置する載置手段と、前記第１媒体の搬送中心上に配置され回転駆動することで前記載置手段に載置された前記第１媒体を１枚ずつ前記搬送手段に給紙可能なピックローラとを有する主給紙手段と、前記駆動ローラと前記ピックローラとを速度差をもって回転駆動可能な駆動手段を備えることを特徴とする。
【００１８】
請求項９に係る発明による画像読取装置では、前記第１媒体より幅方向の長さが短い前記第２媒体を前記ピックローラの前記幅方向側方から給紙可能な副給紙手段を備えることを特徴とする。
【００１９】
請求項１０に係る発明による画像読取装置では、前記搬送手段により搬送される前記第１媒体及び前記第２媒体を排紙可能な排紙手段を備え、前記主給紙手段から前記排紙手段までの搬送経路は、屈曲部が設けられる一方、前記副給紙手段から前記排紙手段までの搬送経路は、直線状に設けられることを特徴とする。
【発明の効果】
【００２０】
請求項１の発明の画像読取装置によれば、第２媒体を搬送する際には、第２媒体搬送領域内にて、第２媒体用ローラ対群をなす複数のローラ対の付圧ローラが第２媒体に接触する一方で、第１媒体を搬送する際には、第１媒体搬送領域内にて、第１媒体用ローラ対群をなす複数のローラ対の付圧ローラが第１媒体に接触すると共に、第１媒体搬送領域内に設けられ第２媒体用ローラ対群をなすローラ対の付圧ローラによる第１媒体への付圧が付圧規制手段により規制される。このため、第１媒体搬送領域と第２媒体搬送領域とを一部で重複させることで搬送手段を前記回転軸心方向に対してコンパクト化した上で、第１媒体用ローラ対群をなす複数のローラ対により第１媒体を、第２媒体用ローラ対群をなす複数のローラ対により第２媒体を、それぞれ安定して適正に搬送することができる。そして、第１媒体搬送領域内に設けられ付圧ローラによる第１媒体への付圧が付圧規制手段により規制されるローラ対が、第１媒体用ローラ対群の一方の外側に設けられることから、第１媒体用ローラ対群は、この第１媒体用ローラ対群をなす複数のローラ対が、少なくとも、付圧規制手段により付圧が規制されたローラ対よりも第１媒体搬送領域の前記回転軸心方向の中心位置に近接した位置に配置される。このため、第１媒体用ローラ対群において、この中心位置を挟んで一方側にあるローラ対と他方側にあるローラ対との間隔が相対的に短くなることから、例えば、第１媒体用ローラ対群の上流側で何らかの原因で若干のスキュー（斜行）が発生した場合でも、この第１媒体用ローラ対群にて、スキューを増幅してしまうことを抑制することができる。この結果、画像読取手段にて画像が読み取られる第１媒体及び第２媒体をともに安定して搬送することができる。
【００２１】
請求項２の発明の画像読取装置によれば、第２媒体用ローラ対群の全体が第１媒体搬送領域内に設けられることから、中心位置が第２媒体用ローラ対群の中心位置と一致するように設定されている第２媒体搬送領域と第１媒体搬送領域とが重複する領域が前記回転軸心方向に大きくなることから、搬送手段をよりコンパクトにすることができる。
【００２２】
請求項３の発明の画像読取装置によれば、第２媒体搬送領域自体も第１媒体搬送領域内に設けられることから、搬送手段を前記回転軸心方向に対してさらにコンパクトにすることができるだけでなく、第２媒体から画像を読み取る画像読取手段を、第１媒体から画像を読み取る画像読取手段によりすべて兼用することができる。この結果、コンパクトで安価な画像読取装置を提供することができる。
【００２３】
請求項４の発明の画像読取装置によれば、少なくとも１つのローラ対が第１媒体用ローラ対群と第２媒体用ローラ対群とに共用されることから、搬送手段の前記回転軸心方向に対するコンパクト化と共に、この画像読取装置を構成する部品点数を削減することができる。
【００２４】
請求項５の発明の画像読取装置によれば、搬送手段が搬送可能なサイズの第１媒体のうちの幅方向に最小の長さを有する第１媒体に応じた領域内に第１媒体用ローラ対群を設けることから、幅方向サイズが最小の第１媒体もこの第１媒体用ローラ対群をなす複数のローラ対のすべてで安定して搬送することができると共に、第１媒体用ローラ対群の幅方向の長さもより短くすることできるので、スキュー増幅の抑制も確実に実現することができる。
【００２５】
請求項６の発明の画像読取装置によれば、第１媒体用ローラ対群をなす複数のローラ対の付圧ローラによる付圧が第１媒体の幅方向に対してほぼ対称に作用することから、第１媒体は駆動ローラの外周面と付圧ローラの外周面との間にバランスよくほぼ均等に挟持されながら搬送される。一方、第２媒体用ローラ対群をなす複数のローラ対の付圧ローラによる付圧も第２媒体の幅方向に対してほぼ対称に作用することから、第２媒体も駆動ローラの外周面と付圧ローラの外周面との間にバランスよくほぼ均等に挟持されながら搬送される。この結果、第１媒体、第２媒体ともにその姿勢をより適正に維持し安定して搬送することができる。
【００２６】
請求項７の発明の画像読取装置によれば、付圧規制手段を、支持軸に対して付勢手段の反対側でこの支持軸に当接するように設けたことから、支持軸に付圧規制手段が当接することで、この支持軸に軸支されている付圧ローラの駆動ローラ側への移動を規制することができ、これにより、この付圧ローラによる第１媒体への付圧を簡易な構成で規制することができる。
【００２７】
請求項８の発明の画像読取装置によれば、駆動手段が１つの駆動源により駆動ローラとピックローラとを共に回転駆動させることから、この画像読取装置をさらに小型化することができる。さらに、この駆動手段により駆動ローラの回転とピックローラの回転とに速度差を設定していることから、主給紙手段にて１枚ずつ分離して給紙された第１媒体の搬送方向後端と、次に給紙される第１媒体の搬送方向前端との間に所定の間隔をあけることができる。そして、このように、駆動ローラとピックローラとを同一の駆動源とすると共に、その回転速度に速度差を設定しているがために、例えば、比較的に薄厚の第１媒体を主給紙手段にて給紙する際に、このピックローラにて微小なスキューが発生し増幅し易くなるおそれがあるが、このピックローラで仮に第１媒体の斜行が発生しても、第１媒体用ローラ対群にてその斜行の増幅が抑制されるので、斜行増幅抑制効果をより好適に発揮することができる。つまり、駆動ローラとピックローラとの駆動源を共用することによる装置の小型化と、駆動源を共用したがために発生する可能性のあるスキューの抑制とをバランスよく両立させることができる。
【００２８】
請求項９の発明の画像読取装置によれば、副給紙手段によりピックローラの脇を抜けるように第２媒体を給紙することから、装置高さ方向に対してピックローラを副給紙手段に近接して設けることができるので、画像読取装置の高さを抑制することができ、よって、この画像読取装置をより小型化することができる。
【００２９】
請求項１０の発明の画像読取装置によれば、主給紙手段から排紙手段までの搬送経路に屈曲部を設けたことから、この画像読取装置をよりコンパクトな構成とすることができると共に、副給紙手段から排紙手段までの搬送経路が直線状に設けられることから、副給紙手段から給紙される剛性の高い第２媒体を搬送手段により搬送する際には、この第２媒体が屈曲部などにて、無理やり曲げられて破損してしまうことを防止することができる。また、第２媒体の搬送が屈曲部を介さないことから、第２媒体を搬送する際に大きな駆動力も必要ないので、この点からも装置が大型化することを防止することができる。
【発明を実施するための最良の形態】
【００３０】
以下に、本発明に係る画像読取装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例】
【００３１】
図１は、本発明の実施例に係るＡＤＦスキャナ（シート原稿読取時）を説明する模式的断面図、図２は、本発明の実施例に係るＡＤＦスキャナ（カード原稿読取時）を説明する模式的断面図、図３は、本発明の実施例に係るＡＤＦスキャナの搬送部の構成を示す斜視図、図４は、本発明の実施例に係るＡＤＦスキャナのシート原稿用ローラ対群とカード原稿用ローラ対群とを説明する斜視図、図５は、本発明の実施例に係るＡＤＦスキャナの搬送部（カード原稿読取時）の平面図、図６は、本発明の実施例に係るＡＤＦスキャナの搬送部（シート原稿読取時）の平面図、図７は、本発明の実施例に係るＡＤＦスキャナの搬送部（カード原稿読取時）の幅方向断面図、図８は、本発明の実施例に係るＡＤＦスキャナの搬送部（カード原稿読取時）の搬送方向断面図、図９は、本発明の実施例に係るＡＤＦスキャナの搬送部（シート原稿読取時）の幅方向断面図、図１０は、本発明の実施例に係るＡＤＦスキャナの搬送部（シート原稿読取時）の搬送方向断面図である。
【００３２】
以下、本発明の実施例に係る画像読取装置は、図１、図２に示すように、イメージスキャナ、複写機、ファクシミリ、文字認識装置などに適用されるものであり、本実施例では、いわゆるＡＤＦ（Ａｕｔｏ  Ｄｏｃｕｍｅｎｔ  Ｆｅｅｄｅｒ） 機構を有すＡＤＦスキャナ１に適用して説明する。ＡＤＦスキャナ１は、所定のサイズのシート状の媒体を連続的に自動給紙して、画像の読み取り処理を行うものであり、大量の媒体を自動的に搬送して読み取ることができるものである。
【００３３】
この画像読取装置としてのＡＤＦスキャナ１は、読み取り第１媒体としてのシート状のシート原稿Ｓ１を給紙する主給紙手段としてのＡＤＦ部２と、給紙されたシート原稿Ｓ１を搬送する搬送手段としての搬送部３と、搬送されたシート原稿Ｓ１の画像を読み取る画像読取手段としての光学ユニット４と、画像を読み取られたシート原稿Ｓ１を排紙する排紙手段としての排紙部５と、装置の各部を収容するケーシング６とを備える。
【００３４】
シート原稿Ｓ１は、例えば、一般的なコピー用紙のような通常の厚さ及び剛性を有する用紙であり、ここでは、ＡＤＦ部２にて積層された状態から１枚ずつ分離して搬送部３に給紙可能な媒体であると共に、後述する搬送経路における屈曲部３ａを通過しても折れて損傷してしまうことがない媒体である。よって、このシート原稿Ｓ１は、ＡＤＦ部２に積層されて自動給紙（ＡＤＦ給紙）で搬送部３に給紙される。
【００３５】
ＡＤＦ部２は、積層された所定のサイズのシート状のシート原稿Ｓ１を１枚ずつ分離して搬送部３に給紙するものであり、この搬送部３の一端側に設けられる。このＡＤＦ部２は、載置手段としてのシュータ２１と、ピックローラ２２と、分離パッド２３とを有する。この本実施例のＡＤＦ部２は、複数種類のサイズのシート原稿Ｓ１に対応しており、すなわち、搬送部３は、複数種類のサイズのシート原稿Ｓ１を搬送することができる。
【００３６】
シュータ２１は、略矩形状に形成された積載面２１ａを有し、この積載面２１ａにシート原稿Ｓ１を複数枚積層させて積載するものである。シュータ２１に載置される積層されたシート原稿Ｓ１は、不図示の付勢手段の付勢力により積載面２１ａ方向に押圧されている。
【００３７】
ピックローラ２２は、シュータ２１における積載面２１ａの搬送部３側端部（給紙側端部）の近傍に設けられ、シュータ２１に積載されたシート原稿Ｓ１のうち最下層に位置するシート原稿Ｓ１を給送するものである。ピックローラ２２は、例えば発泡ゴムなどの摩擦力の大きい材料により円柱状の形状で形成されている。ピックローラ２２は、その中心軸が、積載面２１ａの幅方向にほぼ平行、すなわち、積載面２１ａに沿いつつシート原稿Ｓ１の給紙方向に直交する方向に設定されている。言い換えれば、積載面２１ａは外端部分に４つの辺を有する略矩形状に形成されているが、ピックローラ２２は、このうちの搬送部３側の１辺の近傍に設けられており、その向きは、ピックローラ２２の中心軸が前記辺とほぼ平行になる向きで設けられている。また、このピックローラ２２は、その中心軸がシュータ２１下面側（積載面２１ａに対してシート原稿Ｓ１が積載される側とは反対側）に設定されると共に、その外周面がシュータ２１の積載面２１ａの延長平面上に位置するように設定されている。そして、このピックローラ２２は、中心軸を回転軸線としてピック方向、すなわち、外周面が積載面２１ａの延長平面上にてシュータ２１から離間する方向（図１中矢印で示す反時計周り方向）に回転することで、積載面２１ａに載置されているシート原稿Ｓ１を外周面で受け取り搬送部３に給送する。
【００３８】
分離パッド２３は、シュータ２１の積載面２１ａ側にてピックローラ２２の外周面と接するように設けられており、ピックローラ２２の回転に伴って給送されるシート原稿Ｓ１を、この分離パッド２３とピックローラ２２の外周面との間に１枚ずつ分離して取り込むものである。
【００３９】
したがって、このＡＤＦ部２では、シュータ２１上に積層されたシート原稿Ｓ１は、ピックローラ２２がピック方向（図１中反時計周り方向）に回転すると共に、分離パッド２３によりこの分離パッド２３とピックローラ２２の外周面との間に取り込まれることで、１枚ずつ自動で分離され搬送部３に給紙される。
【００４０】
搬送部３は、ＡＤＦ部２により給紙されたシート原稿Ｓ１を、その搬送経路中に設けられる光学ユニット４を介して、他端側（ＡＤＦ部２が設けられる反対側の端部側）に設けられる排紙部５まで搬送するものである。この搬送部３は、回転駆動可能な駆動ローラ７と、駆動ローラ７側に付圧されこの駆動ローラ７に従動して回転可能な付圧ローラ８とからなる複数のローラ対９と、搬送経路に沿って設けられる不図示のガイドとを有する。この搬送部３は、駆動ローラ７の外周面と付圧ローラ８の外周面との間にシート原稿Ｓ１を挟持すると共に、駆動ローラ７が回転駆動することでシート原稿Ｓ１を搬送する。シート原稿Ｓ１は、搬送経路に沿って設けられた複数のローラ対９間を順次受け渡されることで、ＡＤＦ部２から排紙部５まで搬送される。ガイドは、搬送経路に沿って設けられ、この間、複数のローラ対９によるシート原稿Ｓ１の搬送を案内する。
【００４１】
さらに、この搬送部３は、装置のコンパクト化を図るために、その搬送経路中に不図示のガイドが屈曲して設けられた屈曲部３ａを有している。すなわち、搬送部３によるシート原稿Ｓ１の搬送経路は、この屈曲部３ａにて屈曲している。さらに言い換えれば、搬送部３では、屈曲部３ａを基準として、ＡＤＦ部２から屈曲部３ａまでのシート原稿Ｓ１の搬送方向と、屈曲部３ａから排紙部５までのシート原稿Ｓ１の搬送方向とがこの屈曲部３ａにて交差している。したがって、ＡＤＦ部２から搬送部３に給紙されたシート原稿Ｓ１は、屈曲部３ａを介して排紙部５まで搬送される間に、この屈曲部３ａにて搬送される方向が屈曲し方向転換される。
なお、この搬送部３ついては、図３乃至図１０でさらに詳細に説明する。
【００４２】
光学ユニット４は、搬送部３によるシート原稿Ｓ１の搬送経路中に設けられ、搬送部３により搬送されたシート原稿Ｓ１の画像を読み取るものである。さらに具体的には、光学ユニット４は、上述の屈曲部３ａと排紙部５との間の搬送経路中に設けられる。本実施例の光学ユニット４は、シート原稿Ｓ１の表面の画像を読み取る表面光学ユニット４ｂと、シート原稿Ｓ１の裏面の画像を読み取る裏面光学ユニット４ａとを備える。なお、表面光学ユニット４ｂと裏面光学ユニット４ａとは、ほぼ同様な構成をしているので、以下の説明では、特に断りのない限り、表面光学ユニット４ｂと裏面光学ユニット４ａとを区別することなく、単に光学ユニット４という。
【００４３】
この光学ユニット４は、搬送されてくるシート原稿Ｓ１上の画像を光学的に走査し、電気信号に変換して画像データとして読み取るものである。光学ユニット４は、光源と、イメージセンサと、光学系としてレンズ等を備える。光源は、シート原稿Ｓ１に光を照射するものであり、例えば、ＬＥＤなど種々の発光手段を用いることができる。レンズは、シート原稿Ｓ１にて反射した反射光をイメージセンサの受光面に集束させるものである。イメージセンサは、光源により照射されシート原稿Ｓ１で反射しレンズを通過した反射光を受光し、電気信号に変換することで画像データを読み取るものである。イメージセンサは、例えば、光を受光して電荷を発生させる複数の光電変換素子をシート原稿Ｓ１の搬送方向と直交するように一列に配置したリニアイメージセンサ（一次元イメージセンサ）としてＣＣＤラインセンサなどを用いることができる。この光電変換素子の配列方向、すなわち、イメージセンサの長手方向が走査方向となる一方、この走査方向と直交する方向、すなわち、シート原稿Ｓ１の搬送方向が副走査方向となる。
【００４４】
したがって、光学ユニット４にて、搬送部３により搬送されるシート原稿Ｓ１に向けて光源から照射された光は、シート原稿Ｓ１で反射されレンズで集束される。そして、レンズを介した反射光は、イメージセンサに入射すると共に電気信号に変換され、走査方向に沿った１読取ライン毎にシート原稿Ｓ１の画像が読み取られる。そして、シート原稿Ｓ１がイメージセンサに対する相対的な移動を継続することで、このシート原稿Ｓ１が副走査方向に移動し光学ユニット４により副走査方向に沿って順次画像が読み取られていき、シート原稿Ｓ１上の二次元画像データを読み取ることができる。
【００４５】
排紙部５は、ケーシング６に形成された排紙開口５ａを有し、搬送部３により搬送され、光学ユニット４にて画像が読み取られたシート原稿Ｓ１は、この排紙開口５ａを介してケーシング６の内側から外側に排紙される。なお、この排紙部５は、排紙開口５ａから排紙されたシート原稿Ｓ１を受ける排出トレイ等を備えていてもよい。
【００４６】
ここで、以上で説明したようにこのＡＤＦスキャナ１は、装置のコンパクト化のためＡＤＦ部２から排紙部５までの搬送経路中にてこの搬送経路が屈曲した屈曲部３ａを有している。このため、例えば、シート原稿Ｓ１より厚いカード状の第２媒体としてのカード原稿Ｓ２（図２参照）をＡＤＦ部２から搬送部３に給紙し排紙部５まで搬送する際に、カード原稿Ｓ２が比較的厚く剛性が高いがために、屈曲部３ａにて、このカード原稿Ｓ２が無理やり曲げられることで破損してしまうおそれがある。また、例えば、このカード原稿Ｓ２が屈曲部３ａにて破損しなかったとしても、剛性が高いカード原稿Ｓ２が屈曲部３ａを通過するためにはおおきな駆動力でカード原稿Ｓ２の搬送を行わなければならなくなるので、装置が大型化してしまうおそれがある。
【００４７】
このため、ＡＤＦスキャナ１は、図２に示すように、カード原稿Ｓ２を給紙可能な副給紙手段としてのカード給紙部１０を、ＡＤＦ部２とは別体に備えている。なお、カード原稿Ｓ２は、典型的には、シート原稿Ｓ１よりも厚く形成されると共に、シート原稿Ｓ１より幅方向（搬送方向に水平に直交する方向）の長さが短く設定されている（図４参照）。この本実施例のカード給紙部１０は、複数種類のサイズのカード原稿Ｓ２に対応しており、すなわち、搬送部３は、複数種類のサイズのカード原稿Ｓ２を搬送することができる。
【００４８】
このカード給紙部１０は、ケーシング６に形成された給紙開口１０ａを有し、給紙開口１０ａを介して１枚ずつ手差しでカード原稿Ｓ２を搬送部３に給紙するものであり、ここでは、カード原稿Ｓ２をピックローラ２２の幅方向側方を介して搬送部３に給紙する。カード給紙部１０から給紙されたカード原稿Ｓ２は、搬送部３により搬送され排紙部５から排紙される。これにより、ＡＤＦ部２のピックローラ２２をできるだけ図中下方に位置させた上で、このピックローラ２２の脇を抜けるようにカード原稿Ｓ２を給紙、搬送することから、ＡＤＦスキャナ１の高さを抑制することができ、よって、このＡＤＦスキャナ１を小型化することができる。そして、このＡＤＦ部２から排紙部５までの搬送経路は、上述したように、屈曲部３ａにて屈曲している一方、カード給紙部１０は、カード原稿Ｓ２の給紙方向に対して排紙部５と対向する位置に設けられ、これにより、カード給紙部１０から排紙部５までの搬送経路は、直線状に設けられる。このため、カード給紙部１０から給紙される剛性の高いカード原稿Ｓ２を搬送部３により搬送する際には、このカード原稿Ｓ２の搬送経路が屈曲する部分を有さず直線的に設けられることから、このカード原稿Ｓ２が屈曲部３ａなどにて、無理やり曲げられて破損してしまうことを防止することができ、このカード原稿Ｓ２を搬送する際に大きな駆動力も必要ないので、この点からも装置が大型化することを防止することができる。
【００４９】
ここで、シート原稿Ｓ１及びカード原稿Ｓ２を搬送する搬送部３では、さらなる装置のコンパクト化を図るため、ＡＤＦ部２のピックローラ２２により１枚ずつ分離されて給紙されるシート原稿Ｓ１の搬送領域、すなわち、第１媒体搬送領域としてのシート原稿搬送領域Ｔ１（図４参照）と、カード給紙部１０から給紙されるカード原稿Ｓ２の搬送領域、すなわち、第２媒体搬送領域としてのカード原稿搬送領域Ｔ２（図４参照）とが、シート原稿Ｓ１、カード原稿Ｓ２の幅方向に対して一部で重複するように構成されている。
【００５０】
なお、ここで、シート原稿Ｓ１、カード原稿Ｓ２の幅方向とは、上述した駆動ローラ７の回転軸心方向と平行な方向である。このシート原稿Ｓ１、カード原稿Ｓ２の幅方向は、例えば、図４に示すように、斜行（いわゆる、スキュー）等が発生していない状態でのシート原稿Ｓ１、カード原稿Ｓ２の搬送方向に対して水平に直交する方向であり、搬送方向及びシート原稿Ｓ１、カード原稿Ｓ２の厚み方向にそれぞれ直交する方向である。さらに言い換えれば、回転軸心方向及びシート原稿Ｓ１、カード原稿Ｓ２の幅方向は、光学ユニット４のイメージセンサの走査方向となる一方、シート原稿Ｓ１、カード原稿Ｓ２の搬送方向が副走査方向となる。
【００５１】
また、シート原稿搬送領域Ｔ１、カード原稿搬送領域Ｔ２は、搬送部３が搬送可能なサイズのシート原稿Ｓ１、カード原稿Ｓ２のうちの幅方向に最大の長さを有するシート原稿Ｓ１、カード原稿Ｓ２を搬送可能な領域であり、言い換えれば、幅方向に最大の長さを有するシート原稿Ｓ１、カード原稿Ｓ２の幅方向の長さに対応した領域である。上述した光学ユニット４のイメージセンサは、このシート原稿搬送領域Ｔ１、カード原稿搬送領域Ｔ２の幅方向に沿って設けられる。
【００５２】
搬送部３は、図３に示すように、駆動ローラ７と、この駆動ローラ７側に付圧された付圧ローラ８との間にシート原稿Ｓ１又はカード原稿Ｓ２を保持して搬送可能な複数のローラ対９を有する。搬送部３は、このローラ対９が搬送方向に沿って２列設けられており、このローラ対９間を順次受け渡されることで、シート原稿Ｓ１、カード原稿Ｓ２を搬送する。そして、このＡＤＦスキャナ１は、各駆動ローラ７を回転駆動可能な駆動手段としての駆動部１１を備えている。駆動部１１は、モータ１１ａと、伝達ギヤ１１ｂと、ベルト１１ｃを有する。
【００５３】
駆動ローラ７は、モータ１１ａの回転駆動力により回転駆動可能なものである一方、付圧ローラ８は、この駆動ローラ７に従動して回転可能のものである。駆動ローラ７と付圧ローラ８とは、長さがほぼ同じであり、ともに円柱形状に形成される。駆動ローラ７と付圧ローラ８とは、ともにその中心軸がシート原稿Ｓ１の搬送方向と水平に交差するように、すなわち、シート原稿Ｓ１の幅方向に沿うように設けられ、中心軸を回転軸線として回転可能に設けられる。
【００５４】
さらに具体的には、駆動ローラ７は、回転軸心としての２本の回転軸７１に３つずつ固定されており、この回転軸７１と共に回転可能である。各回転軸７１は、搬送方向に直交するように設けられる。本実施例の搬送部３は、上述したように、搬送方向に沿って２列のローラ対９が設けられていることから、駆動ローラ７が３つずつ設けられた回転軸７１は、搬送方向に対して所定の間隔をあけて２列設けられる。この２つの回転軸７１の間には、その一端部にベルト１１ｃが張架されている。そして、一方の回転軸７１は、伝達ギヤ１１ｂを介してモータ１１ａに接続されており、この一方の回転軸７１がモータ１１ａから伝達ギヤ１１ｂを介して伝達される回転駆動力により回転駆動されると、ベルト１１ｃが張架されている他方の回転軸７１も、このベルト１１ｃを介して一方の回転軸７１と共に回転駆動される。
【００５５】
付圧ローラ８は、各々駆動ローラ７と対向して設けられている。すなわち、この搬送部３は、幅方向に３つの駆動ローラ７が搬送方向に２列設けられていることから、付圧ローラ８も同様に、幅方向に３つ設けられると共に、搬送方向に２列設けられ、合計６つ設けられる。３つの付圧ローラ８は、幅方向に対しては支持軸８１及び支持軸８２にわかれて設けられている。すなわち、支持軸８１、支持軸８２は、それぞれ搬送方向に直交するように設けられると共に、幅方向に並んで設けられる。そして、幅方向に沿って並ぶ３つの付圧ローラ８は、支持軸８１に２つ、支持軸８２に１つがそれぞれ回転自在に軸支されている。本実施例の搬送部３は、上述したように、搬送方向に沿って２列のローラ対９が設けられていることから、１つの支持軸８１と１つの支持軸８２とを１組として、この１組の支持軸８１、支持軸８２が搬送方向に対して所定の間隔をあけて２列設けられる。
【００５６】
そして、各支持軸８１、支持軸８２は、その両端部においてそれぞれ付勢手段としての圧縮バネ８３により駆動ローラ７側に付勢されている。各圧縮バネ８３は、円筒のコイル状に形成され、その内側に不図示のバネ軸が挿入され、その一端が支持軸８１又は支持軸８２に固定される一方、他端がケーシング６の内壁面に固定されている（図７参照）。この結果、各付圧ローラ８は、支持軸８１又は支持軸８２、圧縮バネ８３などを介してケーシング６に支持されて共に、圧縮バネ８３により支持軸８１、支持軸８２が付勢されることで各駆動ローラ７側に付圧される。なお、幅方向に沿って３つ設けられる付圧ローラ８が支持軸８１と支持軸８２とに分けて設けられている理由について後で詳細に説明する。また、以下の説明では、搬送方向に沿って２列設けられるローラ対９は、特に断りのない限り、一方のみを説明し他方の説明はできるだけ省略する。
【００５７】
上記のように構成される搬送部３は、駆動ローラ７がモータ１１ａの回転駆動力により、付圧ローラ８との接触面にて、その外周面がＡＤＦ部２側から排紙部５側に向かう回転方向（図１、図２中反時計周り方向）Ａに回転駆動されると共に、付圧ローラ８もこの駆動ローラ７の回転に従動して外周面が駆動ローラ７との接触面にてＡＤＦ部２側から排紙部５側に向かう方向（図１、図２中時計周り方向）に回転する。そして、このローラ対９は、付圧ローラ８の付圧により駆動ローラ７の外周面と付圧ローラ８の外周面との間にシート原稿Ｓ１又はカード原稿Ｓ２を挟持すると共に、駆動ローラ７が上記のとおり回転駆動することでシート原稿Ｓ１、カード原稿Ｓ２を搬送する。そして、シート原稿Ｓ１、カード原稿Ｓ２は、搬送経路に沿って複数列設けられたローラ対９間を順次受け渡されることで、ＡＤＦ部２から排紙部５まで搬送される。
【００５８】
なお、上述したピックローラ２２も、この駆動部１１のモータ１１ａの回転駆動力により回転駆動される。すなわち、駆動ローラ７を駆動する駆動源と、ピックローラ２２を駆動する駆動源とは、同一のモータ１１ａが共用されており、これにより、ＡＤＦスキャナ１をさらに小型化することができる。ただし、この場合、ＡＤＦ部２にて１枚ずつ分離して給紙されたシート原稿Ｓ１の搬送方向後端と、次に給紙されるシート原稿Ｓ１の搬送方向前端との間に所定の間隔をあけるために、駆動ローラ７の回転速度とピックローラ２２との回転速度とに速度差を設定する必要がある。すなわち、駆動ローラ７とピックローラ２２との関係において、駆動ローラ７の回転速度を相対的に速くし、ピックローラ２２の回転速度を相対的に遅く設定する必要がある。
【００５９】
このため、本実施例のＡＤＦスキャナ１の駆動部１１は、駆動ローラ７の回転とピックローラ２２の回転とに速度差を設定するために速度差設定手段として伝達ギヤ列１１ｄを備えている。ピックローラ２２は、回転軸心としての回転軸２２ａに固定されており、この回転軸２２ａと共に回転可能である。回転軸２２ａは、搬送方向に直交するように設けられる。伝達ギヤ列１１ｄは、伝達ギヤ１１ｂを介して直接的に回転駆動力が伝達される回転軸７１の他端側に設けられており、ここでは、５つの伝達ギヤ１１ｅにより構成されている。伝達ギヤ列１１ｄは、回転軸７１の他端部にてピックローラ２２の回転軸２２ａに回転駆動力を伝達するものである。各伝達ギヤ１１ｅは、隣接する伝達ギヤ１１ｅと互いに噛合する。そして、各伝達ギヤ１１ｅの歯数を適宜設定することで、駆動ローラ７の回転とピックローラ２２の回転とに速度差が設定され、これによりＡＤＦ部２におけるシート原稿Ｓ１の給紙間隔が設定されると共に、このピックローラ２２は、各駆動ローラ７の回転方向Ａと同じ方向で回転駆動される。
【００６０】
ここで、この搬送部３では、上述したように、シート原稿Ｓ１が搬送されるシート原稿搬送領域Ｔ１とカード原稿Ｓ２が搬送されるカード原稿搬送領域Ｔ２とが幅方向に対して一部で重複して設けられると共に、カード給紙部１０から給紙されたカード原稿Ｓ２がピックローラ２２の脇を抜けて搬送されるように構成されていることから、図４、図５、図６に示すように、このシート原稿搬送領域Ｔ１の回転軸心方向に対する中心位置Ｃ１と、カード原稿搬送領域Ｔ２の回転軸心方向に対する中心位置Ｃ２とがずれた位置に設定される。
【００６１】
そして、中心位置Ｃ１と中心位置Ｃ２がずれて設定され幅方向に対して一部が重複したシート原稿搬送領域Ｔ１とカード原稿搬送領域Ｔ２とにおいて、幅方向に沿って３つ設けられるローラ対９は、シート原稿搬送領域Ｔ１に対応して設けられる第１媒体用ローラ対群としてのシート原稿ローラ対群９１と、カード原稿搬送領域Ｔ２に対応して設けられる第２媒体用ローラ対群としてのカード原稿ローラ対群９２とをなす。
【００６２】
具体的には、シート原稿ローラ対群９１は、回転軸心方向、すなわち、幅方向に沿って設けられた２つのローラ対９ａ、９ｂからなる一方、カード原稿ローラ対群９２は、幅方向に沿って設けられた２つのローラ対９ｂ、９ｃからなる。すなわち、本実施例では、３つのローラ対９ａ、９ｂ、９ｃのうち幅方向一方に設けられるローラ対９ａがシート原稿ローラ対群９１の一部をなす一方、幅方向他方に設けられるローラ対９ｃがカード原稿ローラ対群９２の一部をなす。そして、ローラ対９ａとローラ対９ｃとの間に設けられたローラ対９ｂは、シート原稿ローラ対群９１の一部をなすと共に、カード原稿ローラ対群９２の一部もなし、つまり、シート原稿ローラ対群９１とカード原稿ローラ対群９２とに共用されている。
【００６３】
このシート原稿ローラ対群９１は、幅方向（回転軸心方向）の中心位置が、シート原稿搬送領域Ｔ１の幅方向（回転軸心方向）の中心位置Ｃ１に設定される一方、カード原稿ローラ対群９２も、幅方向の中心位置が、カード原稿搬送領域Ｔ２の幅方向（回転軸心方向）の中心位置Ｃ２に設定される。つまり、シート原稿ローラ対群９１は、本実施例では同形状の２つのローラ対９ａ、９ｂからなることから、このローラ対９ａとローラ対９ｂとは、中心位置Ｃ１に対して幅方向に対称に配置されることになる。同様に、カード原稿ローラ対群９２は、同形状の２つのローラ対９ｂ、９ｃからなることから、このローラ対９ｂとローラ対９ｃとは、中心位置Ｃ２に対して幅方向に対称に配置されることになる。
【００６４】
なお、ここでいうシート原稿ローラ対群９１の幅方向の中心位置とは、このシート原稿ローラ対群９１をなす複数のローラ対９ａ、９ｂにおいて互いに向かい合わない側の端面間の中心位置である。同様に、カード原稿ローラ対群９２の幅方向の中心位置とは、このカード原稿ローラ対群９２をなす複数のローラ対９ｂ、９ｃにおいて互いに向かい合わない側の端面間の中心位置である。
【００６５】
さらに言い換えれば、本実施例の搬送部３では、カード原稿ローラ対群９２の一方のローラ対９ｃがシート原稿搬送領域Ｔ１の幅方向に対する一方の境界と中心位置Ｃ２との間に位置し、カード原稿ローラ対群９２の他方のローラ対であると共にシート原稿ローラ対群９１と共用されるローラ対９ｂ（言い換えれば、シート原稿ローラ対群９１の一方のローラ対）が中心位置Ｃ２と中心位置Ｃ１との間に位置し、シート原稿ローラ対群９１の他方のローラ対９ａが中心位置Ｃ１とシート原稿搬送領域Ｔ１の幅方向に対する他方の境界との間に位置することで、３つのローラ対９ａ、９ｂ、９ｃは、中心位置Ｃ１を基準としてみた場合に、全体としては幅方向に非対称に配置される。
【００６６】
そして、カード原稿ローラ対群９２は、図７乃至図１０に示すように、このカード原稿ローラ対群９２をなすローラ対９ｂ、ローラ対９ｃのうちの少なくとも１つが、幅方向に対してシート原稿ローラ対群９１の一方の外側で、かつ、シート原稿搬送領域Ｔ１内に設けられると共に、付圧ローラ８によるシート原稿Ｓ１への付圧を規制する付圧規制手段としてのストッパ部１５ｂが設けられる。すなわち、ここでは、カード原稿ローラ対群９２をなす２つのローラ対９ｂ、ローラ対９ｃのうちローラ対９ｂは、シート原稿ローラ対群９１としても共用されていることから、このローラ対９ｂよりも幅方向に対して外側に配置されるローラ対９ｃにストッパ部１５ｂが設けられる。そして、このストッパ部１５ｂが設けられるローラ対９ｃは、シート原稿搬送領域Ｔ１内に位置する。すなわち、本実施例では、カード原稿ローラ対群９２をなす２つのローラ対９ｂ、９ｃは、ともにシート原稿搬送領域Ｔ１内に位置する。
【００６７】
ストッパ部１５ｂは、付圧ローラ８をカバーするカバープレート１５に一体に設けられる。このカバープレート１５は、ケーシング６の内壁との間で各付圧ローラ８の支持軸８１、８２や圧縮バネ８３を収容するものである（図７、図９参照）。このカバープレート１５は、カバー本体部１５ａと、付圧規制手段としてのストッパ部１５ｂとが一体に形成されている。カバー本体部１５ａは、ローラ対９ａ、９ｂをなす２つの駆動ローラ７に対向するように設けられる一方、ストッパ部１５ｂは、ローラ対９ｃをなす１つの駆動ローラ７に対向するように設けられる。ストッパ部１５ｂは、シート原稿Ｓ１、カード原稿Ｓ２の厚さ方向に対して、カバー本体部１５ａよりも圧縮バネ８３側に位置して設けられる。すなわち、ストッパ部１５ｂは、カバープレート１５にてカバー本体部１５ａよりも圧縮バネ８３側に突出した部分として形成される。そして、カバー本体部１５ａは、ローラ対９ａ、９ｂの各付圧ローラ８に対応する位置に１つずつ、合計２つの開口部１６が設けられている一方、ストッパ部１５ｂは、ローラ対９ｃの付圧ローラ８に対応する位置に開口部１６が１つ設けられている。そして、各付圧ローラ８は、カバープレート１５とケーシング６の内壁とにより区画された空間側で支持軸８１、８２により軸支されると共に、この開口部１６から各外周面が駆動ローラ７側に露出するように設けられている。
【００６８】
ここで、図３にて説明したように、幅方向に沿って３つ設けられる付圧ローラ８は、支持軸８１に２つ、支持軸８２に１つが軸支されていると説明した。すなわち、シート原稿Ｓ１への付圧が規制されないローラ対９ａ、９ｂの２つの付圧ローラ８が支持軸８１に軸支される一方、シート原稿Ｓ１への付圧が規制されるローラ対９ｃの１つの付圧ローラ８が支持軸８２に軸支される。これにより、ローラ対９ａ、９ｂの２つの付圧ローラ８は、支持軸８１と共に駆動ローラ７に接近・離間する方向、すなわち、シート原稿Ｓ１、カード原稿Ｓ２の厚さ方向に移動可能である一方、ローラ対９ｃの１つの付圧ローラ８は、支持軸８１と別体に、支持軸８２と共に前記厚さ方向に移動可能である。つまり、ローラ対９ａ、９ｂの付圧ローラ８は、２つが１組となって厚さ方向に移動可能である一方、ローラ対９ｃの付圧ローラ８は、ローラ対９ａ、９ｂの付圧ローラ８とは無関係に、単独で厚さ方向に移動可能である。
【００６９】
そして、この３つのローラ対９ａ、９ｂ、９ｃの各付圧ローラ８は、図７、図８に示すように、カード原稿Ｓ２を搬送する際には、カード原稿搬送領域Ｔ２内にて、カード原稿ローラ対群９２をなす２つのローラ対９ｂ、９ｃの付圧ローラ８がカード原稿Ｓ２に接触する。そして、ローラ対９ｂ、９ｃの２つの付圧ローラ８がカード原稿Ｓ２に対して駆動ローラ７側に付圧を作用させることで、駆動ローラ７の外周面と付圧ローラ８の外周面との間にカード原稿Ｓ２を挟持すると共に、駆動ローラ７が回転駆動することでこのカード原稿Ｓ２を搬送する。この間、上述したように、カード原稿ローラ対群９２は、ローラ対９ｂとローラ対９ｃとが中心位置Ｃ２に対して幅方向に対称に配置されていることから、ローラ対９ｂ、９ｃの２つの付圧ローラ８による付圧は、カード原稿Ｓ２の幅方向に対してほぼ対称に２箇所で作用する。このため、カード原稿Ｓ２は、ローラ対９ｂ、９ｃの駆動ローラ７の外周面と付圧ローラ８の外周面との間にバランスよくほぼ均等に挟持されながら搬送されることから、その姿勢が適正に維持され安定して搬送される。
【００７０】
一方、３つのローラ対９ａ、９ｂ、９ｃの各付圧ローラ８は、図９、図１０に示すように、シート原稿Ｓ１を搬送する際には、シート原稿搬送領域Ｔ１内にて、シート原稿ローラ対群９１をなす２つのローラ対９ａ、９ｂの付圧ローラ８がシート原稿Ｓ１に接触する。このとき、ローラ対９ａ、９ｂの付圧ローラ８とは無関係に単独で厚さ方向に移動可能なローラ対９ｃの付圧ローラ８は、支持軸８２にストッパ部１５ｂが当接することで駆動ローラ７側への移動が規制される。このため、このローラ対９ｃの付圧ローラ８は、カード原稿Ｓ２よりも薄いシート原稿Ｓ１には接触することができず、この結果、シート原稿Ｓ１にはローラ対９ｃの付圧ローラ８による付圧は作用しない。すなわち、ローラ対９ｃの付圧ローラ８は、ストッパ部１５ｂが支持軸８２に当接することで、厚さ方向に対する位置が他の付圧ローラ８よりも圧縮バネ８３側で保持され、シート原稿Ｓ１に対する付圧が規制されるため、結果的に、このローラ対９ｃは、シート原稿搬送領域Ｔ１内に設けられていながらシート原稿Ｓ１よりも厚いカード原稿Ｓ２の搬送専用のローラ対として機能することになる。
【００７１】
そして、ローラ対９ａ、９ｂの２つの付圧ローラ８がシート原稿Ｓ１に対して駆動ローラ７側に付圧を作用させることで、駆動ローラ７の外周面と付圧ローラ８の外周面との間にシート原稿Ｓ１を挟持すると共に、駆動ローラ７が回転駆動することでシート原稿Ｓ１を搬送する。この間、上述したように、シート原稿ローラ対群９１は、ローラ対９ａとローラ対９ｂとが中心位置Ｃ１に対して幅方向に対称に配置されていることから、ローラ対９ａ、９ｂの２つの付圧ローラ８による付圧は、シート原稿Ｓ１の幅方向に対してほぼ対称に２箇所で作用する。このため、シート原稿Ｓ１は、ローラ対９ａ、９ｂの駆動ローラ７の外周面と付圧ローラ８の外周面との間にバランスよく均等に挟持されながら搬送されることから、その姿勢が適正に維持され安定して搬送される。
【００７２】
ここで、上述したように、シート原稿ローラ対群９１とシート原稿搬送領域Ｔ１との位置関係は、シート原稿ローラ対群９１の幅方向中心位置とシート原稿搬送領域Ｔ１の幅方向の中心位置Ｃ１とが一致するような位置関係にある。一方、ストッパ部１５ｂが設けられるローラ対９ｃは、幅方向に対してシート原稿ローラ対群９１をなすローラ対９ｂの外側で、かつ、シート原稿搬送領域Ｔ１内に設けられる。このため、シート原稿搬送領域Ｔ１の一方の境界がローラ対９ｃよりも幅方向外側に位置することになることから、シート原稿搬送領域Ｔ１の他方の境界も、ローラ対９ａ側にて、ローラ対９ｂからシート原稿搬送領域Ｔ１の一方の境界までの長さに相当する長さ分だけ、中心位置Ｃ１から離間して位置することになる。さらに、言い換えれば、ローラ対９ｂとシート原稿搬送領域Ｔ１の一方の境界との間にローラ対９ｃが挟まれている分だけ、ローラ対９ａとシート原稿搬送領域Ｔ１の他方の境界との間隔が広くなる。すなわち、少なくとも、ローラ対９ｂは、ローラ対９ｃよりもシート原稿搬送領域Ｔ１の幅方向の中心位置Ｃ１に近接した位置に配置されることから、このローラ対９ｂと共にシート原稿ローラ対群９１をなすローラ対９ａも、同様に中心位置Ｃ１側に近接した位置に配置されることになる。このため、シート原稿ローラ対群９１は、ローラ対９ａとローラ対９ｂとが中心位置Ｃ１に近接した配置となり、中心位置Ｃ１を挟んで幅方向一方側にあるローラ対９ａと他方側にあるローラ対９ｂとの間隔が相対的に短くなることから、例えば、このローラ対９ａ、ローラ対９ｂの上流側で何らかの原因で若干のスキュー（斜行）が発生した場合でも、例えば、図１３−１で説明したような従来の画像読取装置と比較して、このシート原稿ローラ対群９１にて、スキューを増幅してしまうことを抑制することができる。
【００７３】
つまり、シート原稿ローラ対群９１の幅方向両側のローラ対９ａ、９ｂが幅方向に対して中心位置Ｃ１に近接した位置にあることから、上流側で発生したスキューにより斜めに移動してくるシート原稿Ｓ１に対して、例えば、両側部のローラ対９ａ、９ｂのうちの一方のローラ対９ａが先にシート原稿Ｓ１を保持し、搬送し始めてから、他方のローラ対９ｂがシート原稿Ｓ１を保持し、搬送し始めるまでの間の時間を短くすることができ、シート原稿Ｓ１にて、ローラ対９ａにより保持、搬送された側がローラ対９ｂにより保持、搬送される側よりも大きく先行してしまうことが抑制される。この結果、上流側で発生したスキューを増幅してしまうことを抑制することができる。
【００７４】
なお、このシート原稿ローラ対群９１は、好ましくは、ローラ対９ａ、９ｂが幅方向に対して、このＡＤＦスキャナ１の光学ユニット４により画像の読み取り可能な最小のシート原稿Ｓ１の搬送領域内に設けられるとよい。すなわち、シート原稿ローラ対群９１は、中心位置Ｃ１を中心として、搬送部３が搬送可能なサイズのシート原稿Ｓ１のうちの幅方向に最小の長さを有するシート原稿Ｓ１に応じた領域内に設けられることが好ましい。これにより、幅方向サイズが最小のシート原稿Ｓ１もこのシート原稿ローラ対群９１をなす複数のローラ対９ａ、９ｂの両方で安定して搬送することができると共に、シート原稿ローラ対群９１の幅方向の長を短くすることできるので、スキュー増幅の抑制も確実に実現することができる。
【００７５】
また、本実施例の搬送部３では、上述したようにカード原稿ローラ対群９２をなすローラ対９ｂ、９ｃは、ともにシート原稿搬送領域Ｔ１内に設けられている。すなわち、カード原稿ローラ対群９２は、全体がシート原稿搬送領域Ｔ１内に設けられることから、中心位置Ｃ２がカード原稿ローラ対群９２の中心位置と一致するように設定されているカード原稿搬送領域Ｔ２とシート原稿搬送領域Ｔ１とが重複する領域が幅方向に大きくなることから、搬送部３を幅方向に対してよりコンパクトにすることができる。
【００７６】
さらに言えば、この搬送部３は、カード原稿ローラ対群９２がシート原稿搬送領域Ｔ１内に設けられるだけでなく、カード原稿搬送領域Ｔ２自体もシート原稿搬送領域Ｔ１内に設けられる。これにより、搬送部３を幅方向に対してさらにコンパクトにすることができるだけでなく、カード原稿Ｓ２から画像を読み取るイメージセンサを、シート原稿Ｓ１から画像を読み取る光学ユニット４のイメージセンサによりすべて兼用することができ、すなわち、カード原稿搬送領域Ｔ２全体をカバーするために、カード原稿Ｓ２の読み取り用のイメージセンサを、光学ユニット４のイメージセンサとは別体に設けたり、光学ユニット４のイメージセンサを走査方向に長くしたりする必要がない。そして、上述のように、ローラ対９ａとローラ対９ｃとの間に設けられたローラ対９ｂがシート原稿ローラ対群９１とカード原稿ローラ対群９２とに共用されることから、搬送部３の幅方向に対するコンパクト化と共に、このＡＤＦスキャナ１を構成する部品点数を削減することができる。
【００７７】
ここで、本実施例のＡＤＦスキャナ１では、上述したように、駆動ローラ７とピックローラ２２とを同一の駆動源としてモータ１１ａにより駆動すると共に、その回転速度に速度差を設定されており、またさらに、このピックローラ２２が中心位置Ｃ１上に配置されているがために、例えば、比較的に薄厚のシート原稿Ｓ１をＡＤＦ部２にて給紙する際に、このピックローラ２２にて微小なスキューが発生し増幅し易くなるおそれがあるが、本実施例のＡＤＦスキャナ１によれば、このピックローラ２２で仮にシート原稿Ｓ１の斜行が発生しても、シート原稿ローラ対群９１にて、その斜行の増幅が抑制されるので、斜行増幅抑制効果をより好適に発揮することができる。
【００７８】
上記のように構成されるＡＤＦスキャナ１では、ＡＤＦ部２のシュータ２１の積載面２１ａ上に積層されたシート原稿Ｓ１は、ＡＤＦ部２のピックローラ２２及び分離パッド２３により１枚ずつ分離されて搬送部３に給紙され、この搬送部３により屈曲部３ａ、光学ユニット４を介して排紙部５まで搬送され、この排紙部５にて排紙される。また、カード給紙部１０から１枚ずつ給紙されるカード原稿Ｓ２は、搬送部３により光学ユニット４を介して排紙部５まで搬送され、この排紙部５にて排紙される。この間、搬送部３により搬送されるシート原稿Ｓ１は、屈曲部３ａにてその搬送方向が転換されると共に、光学ユニット４によりシート原稿Ｓ１上の二次元画像データが読み取られる一方、カード原稿Ｓ２は、屈曲部３ａを通らず、直線的に搬送され光学ユニット４によりカード原稿Ｓ２上の二次元画像データが読み取られる。このとき、シート原稿Ｓ１は、シート原稿ローラ対群９１をなすローラ対９ａ、９ｂにより搬送される一方、カード原稿Ｓ２は、カード原稿ローラ対群９２をなすローラ対９ｂ、９ｃにより搬送されることから、シート原稿Ｓ１、カード原稿Ｓ２ともに、その姿勢が適正に維持され安定して搬送される。
【００７９】
以上で説明した本発明の実施例に係るＡＤＦスキャナ１によれば、回転軸心方向に沿って設けられた複数のローラ対９ａ、９ｂからなり、この複数のローラ対９ａ、９ｂの幅方向の中心位置が、シート原稿Ｓ１が搬送されるシート原稿搬送領域Ｔ１の幅方向の中心位置Ｃ１に設定されるシート原稿ローラ対群９１と、幅方向に沿って設けられた複数のローラ対９ｂ、９ｃからなり、この複数のローラ対９ｂ、９ｃの幅方向の中心位置が、カード原稿Ｓ２が搬送されるカード原稿搬送領域Ｔ２の幅方向の中心位置Ｃ２に設定されるカード原稿ローラ対群９２とを備え、カード原稿ローラ対群９２は、少なくとも１つのローラ対９ｃが、幅方向に対してシート原稿ローラ対群９１の一方の外側で、かつ、シート原稿搬送領域Ｔ１内に設けられると共に、この付圧ローラ８によるシート原稿Ｓ１への付圧を規制するストッパ部１５ｂが設けられる。
【００８０】
したがって、カード原稿Ｓ２を搬送する際には、カード原稿搬送領域Ｔ２内にて、カード原稿ローラ対群９２をなす２つのローラ対９ｂ、９ｃの付圧ローラ８がカード原稿Ｓ２に接触する一方で、シート原稿Ｓ１を搬送する際には、シート原稿搬送領域Ｔ１内にて、シート原稿ローラ対群９１をなす２つのローラ対９ａ、９ｂの付圧ローラ８がシート原稿Ｓ１に接触すると共に、シート原稿搬送領域Ｔ１内に設けられカード原稿ローラ対群９２をなすローラ対９ｃの付圧ローラ８によるシート原稿Ｓ１への付圧がストッパ部１５ｂにより規制される。このため、シート原稿搬送領域Ｔ１とカード原稿搬送領域Ｔ２とを一部で重複させることで搬送部３を幅方向に対してコンパクト化した上で、シート原稿ローラ対群９１をなす２つのローラ対９ａ、９ｂによりシート原稿Ｓ１を、カード原稿ローラ対群９２をなす２つのローラ対９ｂ、９ｃによりカード原稿Ｓ２を、それぞれ安定して適正に搬送することができる。そして、シート原稿搬送領域Ｔ１内に設けられ付圧ローラ８によるシート原稿Ｓ１への付圧がストッパ部１５ｂにより規制されるローラ対９ｃが、シート原稿ローラ対群９１の一方の外側に設けられることから、シート原稿ローラ対群９１は、２つのローラ対９ａ、９ｂが、少なくとも、ローラ対９ｃよりもシート原稿搬送領域Ｔ１の幅方向の中心位置Ｃ１に近接した位置に配置される。このため、中心位置Ｃ１を挟んで幅方向一方側にあるローラ対９ａと他方側にあるローラ対９ｂとの間隔が相対的に短くなることから、例えば、このローラ対９ａ、ローラ対９ｂの上流側で何らかの原因で若干のスキュー（斜行）が発生した場合でも、このシート原稿ローラ対群９１にて、スキューを増幅してしまうことを抑制することができる。この結果、光学ユニット４にて画像が読み取られるシート原稿Ｓ１及びカード原稿Ｓ２をともに安定して搬送することができる。
【００８１】
さらに、以上で説明した本発明の実施例に係るＡＤＦスキャナ１によれば、カード原稿ローラ対群９２は、シート原稿搬送領域Ｔ１内に設けられる。したがって、カード原稿ローラ対群９２の全体がシート原稿搬送領域Ｔ１内に設けられることから、中心位置Ｃ２がカード原稿ローラ対群９２の中心位置と一致するように設定されているカード原稿搬送領域Ｔ２とシート原稿搬送領域Ｔ１とが重複する領域が幅方向に大きくなることから、搬送部３を幅方向に対してよりコンパクトにすることができる。
【００８２】
さらに、以上で説明した本発明の実施例に係るＡＤＦスキャナ１によれば、カード原稿搬送領域Ｔ２は、シート原稿搬送領域Ｔ１内に設けられる。したがって、カード原稿搬送領域Ｔ２自体もシート原稿搬送領域Ｔ１内に設けられることから、搬送部３を幅方向に対してさらにコンパクトにすることができるだけでなく、カード原稿Ｓ２から画像を読み取るイメージセンサを、シート原稿Ｓ１から画像を読み取る光学ユニット４のイメージセンサによりすべて兼用することができる。この結果、コンパクトで安価なＡＤＦスキャナ１を提供することができる。
【００８３】
さらに、以上で説明した本発明の実施例に係るＡＤＦスキャナ１によれば、カード原稿ローラ対群９２は、少なくとも１つのローラ対９ｂがシート原稿ローラ対群９１に共用される。したがって、ローラ対９ｂがシート原稿ローラ対群９１とカード原稿ローラ対群９２とに共用されることから、搬送部３の幅方向に対するコンパクト化と共に、このＡＤＦスキャナ１を構成する部品点数を削減することができる。
【００８４】
さらに、以上で説明した本発明の実施例に係るＡＤＦスキャナ１によれば、シート原稿ローラ対群９１は、幅方向に対して光学ユニット４により読み取り可能な最小のシート原稿Ｓ１の搬送領域内に設けられる。したがって、シート原稿ローラ対群９１を搬送部３が搬送可能なサイズのシート原稿Ｓ１のうちの幅方向に最小の長さを有するシート原稿Ｓ１に応じた領域内に設けることから、幅方向サイズが最小のシート原稿Ｓ１もこのシート原稿ローラ対群９１をなす複数のローラ対９ａ、９ｂの両方で安定して搬送することができると共に、シート原稿ローラ対群９１の幅方向の長を短くすることできるので、スキュー増幅の抑制も確実に実現することができる。
【００８５】
さらに、以上で説明した本発明の実施例に係るＡＤＦスキャナ１によれば、シート原稿ローラ対群９１をなす複数のローラ対９ａ、９ｂは、シート原稿搬送領域Ｔ１の幅方向の中心位置Ｃ１に対して幅方向に対称に設けられ、カード原稿ローラ対群９２をなす複数のローラ対９ｂ、９ｃは、カード原稿搬送領域Ｔ２の幅方向の中心位置Ｃ２に対して幅方向に対称に設けられる。したがって、シート原稿ローラ対群９１をなす複数のローラ対９ａ、９ｂの２つの付圧ローラ８による付圧がシート原稿Ｓ１の幅方向に対してほぼ対称に２箇所で作用することから、シート原稿Ｓ１は駆動ローラ７の外周面と付圧ローラ８の外周面との間にバランスよくほぼ均等に挟持されながら搬送される。一方、カード原稿ローラ対群９２をなす複数のローラ対９ｂ、９ｃの２つの付圧ローラ８による付圧もカード原稿Ｓ２の幅方向に対してほぼ対称に２箇所で作用することから、カード原稿Ｓ２も駆動ローラ７の外周面と付圧ローラ８の外周面との間にバランスよくほぼ均等に挟持されながら搬送される。この結果、シート原稿Ｓ１、カード原稿Ｓ２共にその姿勢がより適正に維持され安定して搬送される。
【００８６】
さらに、以上で説明した本発明の実施例に係るＡＤＦスキャナ１によれば、付圧ローラ８を回転自在に軸支する支持軸８１、８２と、この支持軸８１、８２を駆動ローラ７側に付勢する複数の圧縮バネ８３とを備え、ストッパ部１５ｂは、支持軸８２に対して圧縮バネ８３の反対側でこの支持軸８２に当接する。したがって、ストッパ部１５ｂを支持軸８２に対して圧縮バネ８３の反対側でこの支持軸８２に当接するように設けたことから、支持軸８２にストッパ部１５ｂが当接することで、この支持軸８２に軸支されている付圧ローラ８の駆動ローラ７側への移動を規制することができ、これにより、この付圧ローラ８によるシート原稿Ｓ１への付圧を規制することができる。
【００８７】
さらに、以上で説明した本発明の実施例に係るＡＤＦスキャナ１によれば、積層されたシート原稿Ｓ１を載置する載置手段としてのシュータ２１と、シート原稿Ｓ１の搬送中心上に配置され回転駆動することでシュータ２１に載置されたシート原稿Ｓ１を１枚ずつ搬送部３に給紙可能なピックローラ２２とを有するＡＤＦ部２と、駆動ローラ７とピックローラ２２とを速度差をもって回転駆動可能な駆動部１１を備える。したがって、駆動部１１が１つの駆動源により駆動ローラ７とピックローラ２２とを共に回転駆動させることから、ＡＤＦスキャナ１をさらに小型化することができる。さらに、この駆動部１１により駆動ローラ７の回転とピックローラ２２の回転とに速度差を設定していることから、ＡＤＦ部２にて１枚ずつ分離して給紙されたシート原稿Ｓ１の搬送方向後端と、次に給紙されるシート原稿Ｓ１の搬送方向前端との間に所定の間隔をあけることができる。そして、このように、駆動ローラ７とピックローラ２２とを同一の駆動源とすると共に、その回転速度に速度差を設定しているがために、例えば、比較的に薄厚のシート原稿Ｓ１をＡＤＦ部２にて給紙する際に、このピックローラ２２にて微小なスキューが発生し増幅し易くなるおそれがあるが、このピックローラ２２で仮にシート原稿Ｓ１の斜行が発生しても、シート原稿ローラ対群９１にてその斜行の増幅が抑制されるので、斜行増幅抑制効果をより好適に発揮することができる。つまり、駆動ローラ７とピックローラ２２との駆動源を同一のモータ１１ａで共用することによる装置の小型化と、駆動源を同一のモータ１１ａで共用したがために発生する可能性のあるスキューの抑制とをバランスよく両立させることができる。
【００８８】
さらに、以上で説明した本発明の実施例に係るＡＤＦスキャナ１によれば、シート原稿Ｓ１より幅方向の長さが短いカード原稿Ｓ２をピックローラ２２の幅方向側方から給紙可能なカード給紙部１０を備える。したがってピックローラ２２の脇を抜けるようにカード原稿Ｓ２を給紙することから、装置高さ方向に対してピックローラ２２をカード給紙部１０に近接して設けることができるので、ＡＤＦスキャナ１の高さを抑制することができ、よって、このＡＤＦスキャナ１をより小型化することができる。
【００８９】
さらに、以上で説明した本発明の実施例に係るＡＤＦスキャナ１によれば、搬送部３により搬送されシート原稿Ｓ１及びカード原稿Ｓ２を排紙可能な排紙部５を備え、ＡＤＦ部２から排紙部５までの搬送経路は、屈曲部３ａが設けられる一方、カード給紙部１０から排紙部５までの搬送経路は、直線状に設けられる。したがって、ＡＤＦ部２から排紙部５までの搬送経路に屈曲部３ａを設けたことから、ＡＤＦスキャナ１をよりコンパクトな構成とすることができると共に、カード給紙部１０から排紙部５までの搬送経路が直線状に設けられることから、カード給紙部１０から給紙される剛性の高いカード原稿Ｓ２を搬送部３により搬送する際には、このカード原稿Ｓ２が屈曲部３ａなどにて、無理やり曲げられて破損してしまうことを防止することができる。また、カード原稿Ｓ２の搬送が屈曲部３ａを介さないことから、カード原稿Ｓ２を搬送する際に大きな駆動力も必要ないので、この点からも装置が大型化することを防止することができる。
【００９０】
なお、上述した本発明の実施例に係る画像読取装置は、上述した実施例に限定されず、特許請求の範囲に記載された範囲で種々の変更が可能である。以上の説明では、駆動ローラの回転駆動源とピックローラの回転駆動源とを同一の駆動手段の駆動源で共用するものとして説明したが、それぞれ別体に駆動源を設けるようにしてもよい。
【００９１】
また、以上の説明では、ローラ対９ａとローラ対９ｃとの間に設けられたローラ対９ｂは、シート原稿ローラ対群９１の一部をなすと共に、カード原稿ローラ対群９２の一部もなし、つまり、シート原稿ローラ対群９１とカード原稿ローラ対群９２とに共用されるものとして説明したが、これに限らず、例えば、図１１−１に示すように、シート原稿ローラ対群９１とカード原稿ローラ対群９２とに共用されるローラ対９を設けない構成としてもよい。この場合、カード原稿ローラ対群９２をなすローラ対９の全て（本図では２つ）に付圧規制手段としてのストッパ部１５ｂを設ければよい。また、シート原稿ローラ対群９１とカード原稿ローラ対群９２とに共用されるローラ対９がない場合には、シート原稿ローラ対群９１とカード原稿ローラ対群９２とを搬送方向に対してずらして設けるようにしてもよい。また、図１１−２に示すように、カード原稿ローラ対群９２を３つのローラ対９で構成し、中心位置Ｃ１に最も近接したローラ対９をシート原稿ローラ対群９１として共用し、残りの２つのローラ対９に付圧規制手段としてのストッパ部１５ｂを設けるようにしてもよい。すなわち、ローラ対９の幅方向に対する配列は、以上で説明した配列には限定されない。
【００９２】
また、以上の説明では、付圧規制手段としてのストッパ部１５ｂは、カバープレート１５にて、カバー本体部１５ａと一体に形成されるものとして説明したが、これに限らず、カバー本体部１５ａとは別体に設けてもよいし、例えば、カバープレート１５には設けず、ローラ対９ｃの付圧ローラ８を軸支する支持軸８２に対して圧縮バネ８３の反対側でこの支持軸８２に当接するような突起であってもよい。
【００９３】
また、以上の説明では、カード原稿ローラ対群９２は、全体がシート原稿搬送領域Ｔ１内に設けられるものとして説明したが、これに限らず、少なくとも１つのローラ対がストッパ部１５ｂを有すると共に、当該のローラ対がシート原稿ローラ対群９１の一方の外側で、かつ、シート原稿搬送領域Ｔ１内に位置していればよく、カード原稿ローラ対群９２をなす一部のローラ対がシート原稿搬送領域Ｔ１外に位置していてもよい。また、以上の説明では、カード原稿搬送領域Ｔ２全体がシート原稿搬送領域Ｔ１内に設けられるものとして説明したが、例えば、カード原稿ローラ対群９２の全体がシート原稿搬送領域Ｔ１内に設けられる一方で、カード原稿搬送領域Ｔ２の一部がシート原稿搬送領域Ｔ１外に位置しているという構成も可能である。
【００９４】
また、以上の説明では、主給紙手段は、積層された媒体を１枚ずつ分離して自動で搬送手段に給紙するＡＤＦ部であるものとして説明したが、手動により１枚ずつ給紙する給紙手段であってもよい。
【産業上の利用可能性】
【００９５】
以上のように、本発明に係る画像読取装置は、カード状媒体及びシート状媒体をともに安定して搬送することができるものであり、カード状媒体及びシート状媒体の画像を読み取る種々の画像読取装置に適用して好適である。
【図面の簡単な説明】
【００９６】
【図１】本発明の実施例に係るＡＤＦスキャナ（シート原稿読取時）を説明する模式的断面図である。
【図２】本発明の実施例に係るＡＤＦスキャナ（カード原稿読取時）を説明する模式的断面図である。
【図３】本発明の実施例に係るＡＤＦスキャナの搬送部の構成を示す斜視図である。
【図４】本発明の実施例に係るＡＤＦスキャナのシート原稿用ローラ対群とカード原稿用ローラ対群とを説明する斜視図である。
【図５】本発明の実施例に係るＡＤＦスキャナの搬送部（カード原稿読取時）の平面図である。
【図６】本発明の実施例に係るＡＤＦスキャナの搬送部（シート原稿読取時）の平面図である。
【図７】本発明の実施例に係るＡＤＦスキャナの搬送部（カード原稿読取時）の幅方向断面図である。
【図８】本発明の実施例に係るＡＤＦスキャナの搬送部（カード原稿読取時）の搬送方向断面図である。
【図９】本発明の実施例に係るＡＤＦスキャナの搬送部（シート原稿読取時）の幅方向断面図である。
【図１０】本発明の実施例に係るＡＤＦスキャナの搬送部（シート原稿読取時）の搬送方向断面図である。
【図１１−１】本発明の実施例に係るＡＤＦスキャナの変形例を示す概略平面図である。
【図１１−２】本発明の実施例に係るＡＤＦスキャナの変形例を示す概略平面図である。
【図１２】従来の画像読取装置の一例を示す模式的斜視図である。
【図１３−１】従来の画像読取装置の一例を示す模式的平面図である。
【図１３−２】従来の画像読取装置の一例を示す模式的平面図である。
【符号の説明】
【００９７】
１    ＡＤＦスキャナ（画像読取装置）
２    ＡＤＦ部（主給紙手段）
３    搬送部（搬送手段）
３ａ    屈曲部
４    光学ユニット（画像読取手段）
５    排紙部（排紙手段）
６    ケーシング
７    駆動ローラ
８    付圧ローラ
９、９ａ、９ｂ、９ｃ    ローラ対
１０    カード給紙部（副給紙手段）
１０ａ      給紙開口
１１  駆動部（駆動手段）
１５    カバープレート
１５ａ    カバー本体部
１５ｂ    ストッパ部（付圧規制手段）
１６    開口部
２１    シュータ（載置手段）
２２    ピックローラ
２３    分離パッド
７１    回転軸（回転軸心）
８１、８２    支持軸
８３    圧縮バネ（付勢手段）
９１    シート原稿ローラ対群（第１媒体用ローラ対群）
９２    カード原稿ローラ対群（第２媒体用ローラ対群）
Ｃ１、Ｃ２    中心位置
Ｓ１    シート原稿（第１媒体）
Ｓ２    カード原稿（第２媒体）
Ｔ１    シート原稿搬送領域（第１媒体搬送領域）
Ｔ２    カード原稿搬送領域（第２媒体搬送領域）
【図１】
2008285259.tif 000003
【図２】
2008285259.tif 000004
【図３】
2008285259.tif 000005
【図４】
2008285259.tif 000006
【図５】
2008285259.tif 000007
【図６】
2008285259.tif 000008
【図７】
2008285259.tif 000009
【図８】
2008285259.tif 000010
【図９】
2008285259.tif 000011
【図１０】
2008285259.tif 000012
【図１１−１】
2008285259.tif 000013
【図１１−２】
2008285259.tif 000014
【図１２】
2008285259.tif 000015
【図１３−１】
2008285259.tif 000016
【図１３−２】
2008285259.tif 000017